(57)【要約】【課題】肌荒れ、かぶれ等の皮膚障害の発生が抑制された体液吸収性物品を提供する。【解決手段】紙おむつ１の液透過性のトップシート２と、液不透過性のバックシート３と、バックシート３とトップシート２との間に配される吸収体４と、トップシート２の少なくとも一部及び該一部に連結されたレッグカフ５と、胴部６とを備える。皮膚と接触する表面の少なくとも一部に、即ちトップシート２、レッグカフ５、胴部６の表面の少なくとも一部に生体活性ガラスを含む組成物が配されている。【選択図】図１
2017108910.tif 000002
【特許請求の範囲】
【請求項１】
液透過性のトップシートと、液不透過性のバックシートと、該バックシートと前記トップシートとの間に配される吸収体とを備える体液吸収性物品において、
皮膚と接触する表面の少なくとも一部に、生体活性ガラスを含む組成物が配されていることを特徴とする体液吸収性物品。
【請求項２】
液透過性のトップシートと、液不透過性のバックシートと、該バックシートと前記トップシートとの間に配される吸収体とを備える体液吸収性物品において、
皮膚と接触する表面の少なくとも一部を構成する繊維又は弾性部材は、生体活性ガラスを含むことを特徴とする体液吸収性物品。
【請求項３】
前記生体活性ガラスは、Ｎａ2Ｏ、ＣａＯ、ＳｉＯ2 、及びＰ2Ｏ5を含むことを特徴とする請求項１又は２に記載の体液吸収性物品。
【請求項４】
前記生体活性ガラスの平均粒子径Ｄ50は、０．０１μｍ以上３００μｍ以下であることを特徴とする請求項１から３までのいずれか１項に記載の体液吸収性物品。
【発明の詳細な説明】
【技術分野】
【０００１】
本発明は、尿及び他の体液を吸収し、使い捨て可能な紙おむつ、生理用ナプキン、おりものシート、失禁シート等の体液吸収性物品に関する。
【背景技術】
【０００２】
紙おむつ等の体液吸収性物品は、液透過性のトップシートと、液不透過性のバックシートと、該バックシートと前記トップシートとの間に配される吸収体とを備える。吸収体は、親水性繊維と吸収性樹脂とを含む。
夜間及び外出時等、体液吸収性物品は長時間着用されることも多く、体液吸収性物品と接触する皮膚表面には、かぶれ（紙おむつの場合、おむつ皮膚炎）、紅斑、あせも、擦過傷、加圧跡、及びスキンバリアの喪失等の皮膚障害が生じやすい。
例えばおむつ皮膚炎の原因は、尿に含まれる老廃物の肌刺激成分、大腸の腸内細菌、酵素、汗等によるむれ、かび、尿ｐＨの上昇等である。
汚れた体液吸収性物品が交換されるまで、皮膚は水分過剰となり、刺激を受けるので、皮膚障害が生じることになる。
【０００３】
おむつ皮膚炎は、乳幼児のみならず、紙おむつを着用する成人においても生じている。
例えば、介護現場においては、被介護者における皮膚障害の発生を防止するとともに、介護者のおむつ交換の負担を軽減するために、肌荒れ、かぶれ等の皮膚障害の発生が抑制された紙おむつの開発が求められている。
【０００４】
特許文献１には、Ｌ−アスコルビン酸２００ｐｐｍと２価の鉄イオン０．１ｐｐｍを含有する生理食塩水で自重の４０倍重量に膨潤させた後、４０℃で８時間放置したときの粘度が２００００ｍＰａ・ｓ以上であり、尿中の成分により劣化しにくい吸水性樹脂を含む吸収体を用いることにより、漏れ、かぶれ等が抑制された吸収性物品の発明が開示されている。
【先行技術文献】
【特許文献】
【０００５】
【特許文献１】特開２００３−８８５５４号公報
【発明の概要】
【発明が解決しようとする課題】
【０００６】
特許文献１の吸収性物品によれば、吸水性樹脂のゲルの劣化が抑制されており、漏れ率が低下しているが、ゲル劣化を引き起こす前記尿中の成分はＬ−アスコルビン酸であり、尿中の肌刺激成分による皮膚障害は抑制されていないという問題がある。
【０００７】
本発明は斯かる事情に鑑みてなされたものであり、肌荒れ、かぶれ等の皮膚障害の発生が抑制された体液吸収性物品を提供することを目的とする。
【課題を解決するための手段】
【０００８】
本発明に係る体液吸収性物品は、液透過性のトップシートと、液不透過性のバックシートと、該バックシートと前記トップシートとの間に配される吸収体とを備える体液吸収性物品において、皮膚と接触する表面の少なくとも一部に、生体活性ガラスを含む組成物が配されていることを特徴とする。
【０００９】
本発明に係る体液吸収性物品は、液透過性のトップシートと、液不透過性のバックシートと、該バックシートと前記トップシートとの間に配される吸収体とを備える体液吸収性物品において、皮膚と接触する表面の少なくとも一部を構成する繊維又は弾性部材は、生体活性ガラスを含むことを特徴とする。
【００１０】
本発明に係る体液吸収性物品は、上述の体液吸収性物品において、前記生体活性ガラスは、Ｎａ2Ｏ、ＣａＯ、ＳｉＯ2 、及びＰ2Ｏ5を含むことを特徴とする。
【００１１】
本発明に係る体液吸収性物品は、上述の体液吸収性物品において、前記生体活性ガラスの平均粒子径Ｄ50は、０．０１μｍ以上３００μｍ以下であることを特徴とする。
【発明の効果】
【００１２】
本発明によれば、皮膚と接触する表面の少なくとも一部に、生体活性ガラスを含む組成物が配されているので、肌荒れ、かぶれ等の皮膚障害の発生が抑制されている。そして、体液吸収性物品の交換の回数を減じることができ、介護者の体液吸収性物品の交換の負担を軽減することができる。
【００１３】
本発明によれば、皮膚と接触する表面の少なくとも一部を構成する繊維又は弾性部材が生体活性ガラスを含むので、肌荒れ、かぶれ等の皮膚障害の発生が抑制されている。そして、体液吸収性物品の交換の回数を減じることができ、介護者の体液吸収性物品の交換の負担を軽減することができる。
【図面の簡単な説明】
【００１４】
【図１】本発明の実施の形態に係る体液吸収性物品としての紙おむつを内側から見た状態を示す平面図である。
【発明を実施するための形態】
【００１５】
以下、本発明をその実施の形態を示す図面に基づいて具体的に説明する。
図１は、本発明の実施の形態に係る体液吸収性物品としての紙おむつ１を内側から見た状態を示す平面図である。
紙おむつ１は、液透過性であり、矩形状のトップシート２と、液不透過性であり、矩形状のバックシート３と、バックシート３及びトップシート２の間に配され、各シートより小さい吸収体４と、トップシート２の少なくとも一部及び該一部に連結されたレッグカフ５，５と、胴に当接される胴部６，６と、テープ７，７とを備える。
【００１６】
トップシート２としては、例えばポリエチレン及びポリプロピレン、ポリエステル等の多孔質のシート又は不織布等が挙げられる。
バックシート３としては、例えばポリエチレン及びポリプロピレン等のポリオレフィン系フィルム等が挙げられる。
【００１７】
吸収体４は、親水性繊維と吸水性樹脂とを含む。吸収体の構造としては、例えば吸水性樹脂と親水性繊維とを均一にブレンドしたミキシング構造、層状の親水性繊維の間に吸水性樹脂を保持したサンドイッチ構造等が挙げられる。吸収体は、補強材として少量の合成繊維を含むことができる。
親水性繊維としては、例えば木材パルプ、木綿パルプ等に代表される天然セルロース系繊維、あるいはレーヨン、アセテート等の人工セルロース系繊維、ポリオレフィン、ポリアミド、ポリエステル等の合成繊維等が挙げられる。
【００１８】
吸水性樹脂としては、例えばポリアクリル酸部分中和物架橋体、澱粉−アクリル酸グラフト重合体の中和物、澱粉−アクリロニトリルグラフト重合体の加水分解物などが挙げられる。好ましくはポリアクリル酸部分中和物が用いられる。
吸水性樹脂は、一般に水溶性エチレン性不飽和単量体、例えばアクリル酸、メタクリル酸、マレイン酸、無水マレイン酸、フマル酸、クロトン酸、イタコン酸及びこれらの中和物から選ばれる１種以上を必ず含む単量体を重合させることにより得られる。好ましい単量体は、アクリル酸、メタクリル酸及びこれらのナトリウム、カリウム等のアルカリ金属塩である。
【００１９】
レッグカフ５，５は、細ゴム等の複数の弾性部材を有する。
胴部６，６も細ゴム等の複数の弾性部材を有する。
【００２０】
紙おむつ１を着用する場合、図１における上側部分が身体の後ろ側に、下側部分が身体の前側になるように着用者の股に当て、レッグカフ５，５を両脚の付け根部に合わせ、胴部６，６を胴に合わせて、テープ７，７により紙おむつ１の胴囲を調整して着用する。
【００２１】
本実施の形態に係る紙おむつ１においては、皮膚と接触する表面の少なくとも一部に、生体活性ガラスを含む皮膚保護用組成物が配されている。
皮膚と接触する表面としては、トップシート２、レッグカフ５、胴部６が挙げられる。
【００２２】
生体活性ガラスは、Ｎａ2Ｏ、ＣａＯ、ＳｉＯ2 、及びＰ2Ｏ5を含むのが好ましい。  生体活性ガラスの平均粒子径Ｄ50は、０．０１μｍ以上３００μｍ以下であるのが好ましい。
生体活性ガラスは、皮膚保護用組成物への配合前に、分散流体、湿潤剤の混合物として調製することにしてもよい。分散流体としては、鉱油、ジメチコン及び他のシリコーン、エステル等が挙げられる。湿潤剤としては、親水性末端及び親油性末端を有する界面活性剤等が挙げられる。
【００２３】
前記皮膚保護用組成物のキャリアは、石油ベース炭化水素、脂肪酸エステル、ポリシロキサン、スクロースポリオールポリ脂肪酸エステル、アルキルエトキシレート、保湿剤、ラノリン及び誘導体、水、アルコール、グリコール、グリセリン、及びそれらの混合物からなる群より選択されるのが好ましい。石油ベースの皮膚軟化剤としては、例えばワセリン及び鉱油等が挙げられる。脂肪酸エステルとしては、例えばＣ12−Ｃ18脂肪酸とＣ1 −Ｃ8 の一価のアルコールとのエステルが挙げられる。アルキルエトキシレートとしては、略２〜３０の平均エトキシル化度を有するＣ12−Ｃ22脂肪アルコールエトキシレートが挙げられる。保湿剤としては、プロピレングリコール、ソルビトール、トリヒドロキシステアリン等が挙げられる。
【００２４】
皮膚保護用組成物は、脂肪アルコール，脂肪酸，脂肪アルコールエトキシレート，ポリヒドロキシ脂肪酸エステル，ポリヒドロキシ脂肪酸アミド，ロウ，及びこれらの混合物等の定着剤、並びにレオロジー剤を含むことができる。また、皮膚保護用組成物が特にトップシート２に配される場合、体液が速やかにトップシート２に移動するように、親水性界面活性剤を含むことができる。
皮膚保護用組成物は、スキンケアタイプのエマルジョン、クリーム、軟膏、ローション、懸濁液等に通常使用される他の成分を含むことができる。これらの成分には、消毒抗菌活性剤、抗ウイルス剤、ビタミン、医薬活性剤、懸濁剤、皮膜形成剤、香料、脱臭剤、不透明剤、収斂剤、溶媒、保存剤等がある。セルロース誘導体、タンパク質及びレシチンのような安定剤も、組成物の貯蔵寿命を高めるために加えることができる。
【００２５】
皮膚保護用組成物のベースキャリアが水である場合、保存剤を含有するのが好ましい。
保存剤として、プロピルパラベン、メチルパラベン、ベンジルアルコール、ベンザルコニウム、三塩基性リン酸カルシウム、ＢＨＴ、またはクエン酸、酒石酸、マレイン酸、乳酸、リンゴ酸、安息香酸、サリチル酸等の酸が挙げられる。
【００２６】
本実施の形態に係る皮膚保護用組成物は、上述した紙おむつ１の皮膚と接触する表面に、均一に、又は不均一（不連続）に配される。皮膚保護用組成物をトップシート２に配する場合、皮膚保護用組成物が、トップシート２の体液が放出される部分の全ての開口部を塞ぎ、体液の吸収体４への移動を抑止することがないように、前記部分において皮膚保護用組成物が飽和しないように配するのが好ましい。皮膚保護用組成物がトップシート２に不均一に配された場合、前記開口部が皮膚保護用組成物で塞がれていない部分を有することになる。
【００２７】
皮膚保護用組成物は、紙おむつ１の前記表面に、コンタクトスロットコーティング、押出しコーティング等のコーティング、スプレー、グラビア印刷等の印刷、浸漬等により配することができる。
皮膚保護用組成物は、紙おむつ１の製造時のいずれの時点で前記表面に配してもよい。また、皮膚保護用組成物をスプレー容器に収容しておき、使用者が着用時に必要とする部分に噴霧することにしてもよい。
【００２８】
また、トップシート２を構成する繊維、レッグカフ５及び胴部６が有する前記弾性部材の製造時に、前記繊維又は弾性部材に練り込むことにしてもよい。
【００２９】
生体活性ガラスは、種々の細菌、菌類、及び酵母菌に対する抗菌性を有することが実証されている。また、医学的研究から、生体活性ガラスが主要な炎症マーカーを減少させることが知られており、化粧品に用いた場合、紫外線紅斑が減少することも確認されている。
そして、生体活性ガラスは、ケラチン生成細胞において抗酸化作用を示すことが確認されている。生体活性ガラスは、経皮デリバリーシステムにも用いられている。さらに、少量の水によりミネラル、主としてカルシウム、ナトリウムが放出され、スキンケア活性を付与することも考えられる。
【００３０】
従って、本実施の形態に係る紙おむつ１は、肌荒れ、かぶれ等の皮膚障害が良好に抑制されている。
【００３１】
以下、生体活性ガラスを含むサンプルを用いて、かぶれの改善効果を調べた結果について説明する。
被験者の臀部に故意にかぶれを生じさせ、下記（１）、（２）のサンプルを患部に６時間当接した。（１）のサンプルを患部に当接して試験を行った日の６日後に（２）のサンプルをかぶれ部分に当接する試験を行った。
【００３２】
（１）生体活性ガラス（SCHOTT AG社製、「Vitryxx（登録商標）」）３ｇ＋水を浸透させた綿（縦７０mm×横７５mm）
（２）前記生体活性ガラス３０ｇ＋水を浸透させた綿
【００３３】
（１）のサンプルを患部に当接した場合、患部の炎症は緩和された。
（２）のサンプルを患部に当接した場合、患部の炎症は緩和されたが、他の乾燥している部位に炎症が見られた。
以上より、本発明の体液吸収性物品がかぶれ改善効果を有することが確認された。
【００３４】
今回開示した実施の形態は、全ての点で例示であって、制限的なものではないと考えるべきである。本発明の範囲は、特許請求の範囲内での全ての変更及び特許請求の範囲と均等の範囲が含まれることが意図される。
例えば、本実施の形態においては、体液吸収性物品が紙おむつ１である場合につき説明しているが、これに限定されるものではない。
【符号の説明】
【００３５】
１  体液吸収性物品
２  トップシート
３  バックシート
４  吸収体
５  レッグカフ
６  胴部
７  テープ
【図１】
2017108910.tif 000003